(57)【要約】【課題】消費電力を低減することが可能な入力装置を提供する。【解決手段】読取装置は、動作状態とスリープ状態とで切り替え可能である。スリープ状態は動作状態より消費電力が小さい。読取装置のＣＰＵは、動作状態において、時間ＣＮＴ＿ＳＬＥＥＰを計測する（Ｓ２２）。時間ＣＮＴ＿ＳＬＥＥＰが第一所定時間になると（Ｓ１３：ＹＥＳ）、ＣＰＵは、読取装置をスリープ状態に設定する。ＣＰＵは、複数の出力情報を取得可能である。出力情報は、センサ基板、センサ基板を駆動するＡＳＩＣ、及び無線通信部等から出力される。ＣＰＵは、動作状態において出力情報を取得した場合において（Ｓ１６：ＹＥＳ）、出力情報がスリープカウントリセット要因情報である場合に、時間ＣＮＴ＿ＳＬＥＥＰをリセットする。【選択図】図５
2015064691.tif 000002
【特許請求の範囲】
【請求項１】
動作状態と、前記動作状態よりも消費電力の小さい第一低電力状態とを切替可能な入力装置であって、
用紙が載置される載置部における筆記手段によって前記用紙に筆記された位置を検出する検出部と、
外部機器と通信を行い、前記外部機器が要求する情報である要求情報を受信する通信部と、
前記位置が検出された場合に前記検出部から出力される第一情報と前記要求情報が受信された場合に前記通信部から出力される第二情報とを含む複数種類の出力情報を取得可能な出力情報取得手段と、
前記入力装置が前記動作状態である場合に、第一時間を計測する第一計測手段と、
前記第一計測手段によって計測される前記第一時間が第一所定時間以上である場合に、前記入力装置を前記動作状態から前記第一低電力状態に設定する第一状態設定手段と、
前記第一時間をリセットする要因とする第一リセット要因情報を記憶する第一記憶手段を参照し、前記出力情報取得手段によって取得された前記出力情報が前記第一リセット要因情報であるか否かを判断する第一リセット判断手段と、
前記第一リセット判断手段によって前記第一リセット要因情報であると判断された場合に、前記第一時間をリセットする第一リセット手段と
を備え、
前記第一低電力状態は、少なくとも前記検出部と前記通信部とが動作可能な状態であり、
前記第一情報は前記第一リセット要因情報のうちの１つであることを特徴とする入力装置。
【請求項２】
前記第一リセット判断手段によって前記第一リセット要因情報でないと判断された場合に、第二時間を計測する第二計測手段を備え、
前記第一状態設定手段は、前記第一計測手段によって計測される前記第一時間が前記第一所定時間以上である場合、且つ前記第二計測手段によって計測される前記第二時間が第二所定時間以上である場合に、前記入力装置を前記第一低電力状態に設定することを特徴とする請求項１に記載の入力装置。
【請求項３】
第三時間を計測する第三計測手段と、
前記第三計測手段によって計測される前記第三時間が第三所定時間以上である場合に、前記入力装置を、前記第一低電力状態から前記第一低電力状態よりも消費電力が小さい第二低電力状態に設定する第二状態設定手段と、
前記入力装置が前記第一低電力状態である場合において、前記出力情報取得手段によって前記出力情報が取得された場合に、前記入力装置を、前記第一低電力状態から前記動作状態に設定する第三状態設定手段と、
前記第三時間をリセットする要因とする第二リセット要因情報を記憶する第二記憶手段を参照し、前記出力情報取得手段によって取得された前記出力情報が前記第二リセット要因情報であるか否かを判断する第二リセット判断手段と、
前記第二リセット判断手段によって前記第二リセット要因情報であると判断された場合に、前記第三時間をリセットする第二リセット手段と
を備え、
前記第二低電力状態は、少なくとも前記検出部と前記通信部とが動作不能な状態であり、
前記第一情報は前記第二リセット要因情報のうちの１つであることを特徴とする請求項１又は２に記載の入力装置。
【請求項４】
前記第二リセット判断手段によって前記第二リセット要因情報でないと判断された場合に、第四時間を計測する第四計測手段を備え、
前記第二状態設定手段は、前記第三計測手段によって計測される前記第三時間が前記第三所定時間以上である場合、且つ前記第四計測手段によって計測される前記第四時間が第四所定時間以上である場合に、前記入力装置を前記第二低電力状態に設定することを特徴とする請求項３に記載の入力装置。
【請求項５】
前記入力装置が前記第一低電力状態である場合に、第五時間を測定する第五計測手段と、
前記第五計測手段によって計測された前記第五時間が、第五所定時間以上である場合に、電池の電力残量を検出する電池残量検出手段と、
前記電池残量検出手段による検出結果を出力する出力手段と
を備えたことを特徴とする請求項１から４のいずれかに記載の入力装置。
【発明の詳細な説明】
【技術分野】
【０００１】
本発明は、紙媒体に対して筆記された軌跡を電子化可能な入力装置に関する。
【背景技術】
【０００２】
従来、台座上に載置された紙媒体に対して筆記された場合に、筆記具の移動の軌跡を、紙媒体に筆記された線画の情報として電子化する入力装置が知られている。例えば、特許文献１に記載の筆記入力装置は、手書き入力部を備えている。また、筆記入力装置は、外部機器であるＰＣと通信可能である。ユーザは手書き入力部のステージ上に紙媒体を載置する。ユーザが電磁ペンを使用して紙媒体上で筆記すると、紙媒体に書き込まれた筆記位置の座標が手書き入力部によって検出される。検出された筆記位置が示す加筆データは、ＰＣに転送される。
【先行技術文献】
【特許文献】
【０００３】
【特許文献１】特開２００１−１４７７７１号公報
【発明の概要】
【発明が解決しようとする課題】
【０００４】
入力装置には、筆記動作などが実施されていない時間を計測し、時間が所定時間を超えた場合に、電力消費を抑える低消費電力状態に設定されるものがある。また、例えば、外部機器が入力装置に定期的にアクセスして情報を要求する場合など、入力装置が種々の要求を取得する場合がある。従来の入力装置は、要求を取得した場合に、時間の計測をリセットする。入力装置が要求を取得する度に、計測している時間をリセットするので、入力装置が低消費電力状態に設定されず、消費電力が増大する可能性があった。
【０００５】
本発明の目的は、消費電力を低減することが可能な入力装置を提供することである。
【課題を解決するための手段】
【０００６】
本発明に係る入力装置は、動作状態と、前記動作状態よりも消費電力の小さい第一低電力状態とを切替可能な入力装置であって、用紙が載置される載置部における筆記手段によって前記用紙に筆記された位置を検出する検出部と、外部機器と通信を行い、前記外部機器が要求する情報である要求情報を受信する通信部と、前記位置が検出された場合に前記検出部から出力される第一情報と前記要求情報が受信された場合に前記通信部から出力される第二情報とを含む複数種類の出力情報を取得可能な出力情報取得手段と、前記入力装置が前記動作状態である場合に、第一時間を計測する第一計測手段と、前記第一計測手段によって計測される前記第一時間が第一所定時間以上である場合に、前記入力装置を前記動作状態から前記第一低電力状態に設定する第一状態設定手段と、前記第一時間をリセットする要因とする第一リセット要因情報を記憶する第一記憶手段を参照し、前記出力情報取得手段によって取得された前記出力情報が前記第一リセット要因情報であるか否かを判断する第一リセット判断手段と、前記第一リセット判断手段によって前記第一リセット要因情報であると判断された場合に、前記第一時間をリセットする第一リセット手段とを備え、前記第一低電力状態は、少なくとも前記検出部と前記通信部とが動作可能な状態であり、前記第一情報は前記第一リセット要因情報のうちの１つである。
【０００７】
この場合、出力情報が第一リセット要因情報である場合には、第一リセット手段によって第一時間がリセットされる。位置が検出された場合に検出部から出力される第一情報は第一リセット要因情報のうちの１つである。このため、ユーザが筆記をした場合には、第一時間がリセットされる。よって、ユーザは、動作状態にある入力装置を使用して継続して筆記をすることができる。一方、出力情報が第一リセット要因情報でない場合には、第一時間がリセットされない。このため、出力情報取得手段によって出力情報が取得されても、第一所定時間経過後に、入力装置が第一低電力状態に設定される。よって、出力情報を取得する度に第一時間をリセットして第一低電力状態に設定されない場合に比べて、入力装置の消費電力を低減できる。
【０００８】
前記入力装置は、前記第一リセット判断手段によって前記第一リセット要因情報でないと判断された場合に、第二時間を計測する第二計測手段を備え、前記第一状態設定手段は、前記第一計測手段によって計測される前記第一時間が前記第一所定時間以上である場合、且つ前記第二計測手段によって計測される前記第二時間が第二所定時間以上である場合に、前記入力装置を前記第一低電力状態に設定してもよい。この場合、例えば、第一時間が第一所定時間以上になる直前に第一リセット要因情報でない出力情報が取得されても、第二時間が第二所定時間以上になるまでは第一低電力状態に設定されない。このため、入力装置は、第二所定時間の間に、出力情報に対応する処理を行うことができる。よって、出力情報に対応する処理の途中で入力装置が第一低電力状態に設定されることを防止できる。
【０００９】
前記入力装置は、第三時間を計測する第三計測手段と、前記第三計測手段によって計測される前記第三時間が第三所定時間以上である場合に、前記入力装置を、前記第一低電力状態から前記第一低電力状態よりも消費電力が小さい第二低電力状態に設定する第二状態設定手段と、前記入力装置が前記第一低電力状態である場合において、前記出力情報取得手段によって前記出力情報が取得された場合に、前記入力装置を、前記第一低電力状態から前記動作状態に設定する第三状態設定手段と、前記第三時間をリセットする要因とする第二リセット要因情報を記憶する第二記憶手段を参照し、前記出力情報取得手段によって取得された前記出力情報が前記第二リセット要因情報であるか否かを判断する第二リセット判断手段と、前記第二リセット判断手段によって前記第二リセット要因情報であると判断された場合に、前記第三時間をリセットする第二リセット手段とを備え、前記第二低電力状態は、少なくとも前記検出部と前記通信部とが動作不能な状態であり、前記第一情報は前記第二リセット要因情報のうちの１つであってもよい。
【００１０】
この場合、入力装置が第一低電力状態である場合において、出力情報が取得された場合には、動作状態に設定される。また、出力情報が第二リセット要因情報である場合には、第二リセット手段によって第三時間がリセットされる。位置が検出される場合に検出部から出力される第一情報は第二リセット要因情報のうちの１つである。このため、ユーザが筆記をした場合には、第三時間がリセットされ、動作状態に設定される。よって、ユーザは、動作状態にある入力装置を使用して継続して筆記をすることができる。一方、出力情報が第二リセット要因情報でない場合には、第三時間がリセットされない。このため、出力情報取得手段によって出力情報が取得されても、第三所定時間経過後に、入力装置が第二低電力状態に設定される。よって、出力情報を取得する度に第三時間をリセットして第二低電力状態に設定されない場合に比べて、入力装置の消費電力を低減できる。
【００１１】
前記入力装置は、前記第二リセット判断手段によって前記第二リセット要因情報でないと判断された場合に、第四時間を計測する第四計測手段を備え、前記第二状態設定手段は、前記第三計測手段によって計測される前記第三時間が前記第三所定時間以上である場合、且つ前記第四計測手段によって計測される前記第四時間が第四所定時間以上である場合に、前記入力装置を前記第二低電力状態に設定してもよい。この場合、例えば、第三時間が第三所定時間以上になる直前に第二リセット要因情報でない出力情報が取得されても、第四時間が第四所定時間になるまでは第二低電力状態に設定されない。このため、入力装置は、第四所定時間の間に、出力情報に対応する処理を行うことができる。よって、出力情報に対応する処理の途中で入力装置が第二低電力状態に設定されることを防止できる。
【００１２】
前記入力装置は、前記入力装置が前記第一低電力状態である場合に、第五時間を測定する第五計測手段と、前記第五計測手段によって計測された前記第五時間が、第五所定時間以上である場合に、電池の電力残量を検出する電池残量検出手段と、前記電池残量検出手段による検出結果を出力する出力手段とを備えている。この場合、入力装置が第一低電力状態であっても、第五時間が第五所定時間になると電池の電力残量を検出し、出力できる。よって、第一低電力状態において常に電池の電力残量を検出する場合に比べて、入力装置の消費電力を低減できる。
【図面の簡単な説明】
【００１３】
【図１】手書入力システム１の概要を示す図である。
【図２】読取装置２の平面図である。
【図３】読取装置２及びＰＣ１９の電気的構成を示すブロック図である。
【図４】出力情報テーブル９５のデータ構成図である。
【図５】メイン処理のフローチャートである。
【図６】メイン処理のフローチャートである。
【図７】メイン処理のフローチャートである。
【発明を実施するための形態】
【００１４】
以下、本発明の実施形態について、図面を参照して説明する。図１及び図２を参照して、本実施形態に係る手書入力システム１の概要を説明する。以下の説明では、図１の左上側、右下側、上側、下側、右上側、左下側を、各々、読取装置２の左側、右側、前側、後側、上側、下側と定義して説明する。また読取装置２の左右方向及び上下方向を、夫々、Ｘ軸方向及びＹ軸方向と定義して説明する。
【００１５】
図１に示すように、手書入力システム１は、読取装置２、電子ペン３、ＰＣ１９等を主に備える。読取装置２は、折り畳んで携行可能な、薄型軽量の手書き入力装置である。手書入力システム１では、ユーザは電子ペン３を用いて、読取装置２に固定された紙媒体１００の用紙１１１に線画を筆記する。線画は、線、文字、数値、記号、及び図形等を含む。読取装置２は、電子ペン３の位置を検出する。読取装置２は、経時的に検出された電子ペン３の複数の位置に基づいて、電子ペン３の軌跡を特定する。ＰＣ１９は、読取装置２で特定された電子ペン３の軌跡のデータ（以下、ストロークデータという。）に基づいて、用紙１１１に筆記された線画を電子化した画像ファイルを作成し、記憶する。
【００１６】
図２に示すように、読取装置２は、左右一対の左読取装置２Ｌ、右読取装置２Ｒ、フラットケーブル６、及びカバー４を構成の主体とする。左読取装置２Ｌ及び右読取装置２Ｒは、矩形薄板状であり、カバー４の前面に左右方向に見開き可能に配置されている。左読取装置２Ｌ及び右読取装置２Ｒは、フラットケーブル６によって電気的に接続されている。右読取装置２Ｒは、３つのＬＥＤ５を上端に備える。ＬＥＤ５は、例えば、読取装置２の状態、電池２７の電力残量等をユーザに通知可能である。右読取装置２Ｒは、カバー４は、袋状の袋部４Ａを左側に備える。左読取装置２Ｌは、袋部４Ａ内に差し込まれることでカバー４に着脱可能に装着される。右読取装置２Ｒは、両面テープ及び粘着性を有する樹脂フィルム等によって、カバー４の右前面に貼り付けられる。
【００１７】
読取装置２の前面には紙媒体１００が着脱可能に装着される。図１に示すように、紙媒体１００は、左右方向に見開き可能な冊子状である。紙媒体１００では、一対の表紙（表表紙１１０Ｌ及び裏表紙１１０Ｒ）と複数の用紙１１１が、各々の縁部の一部で綴じられている。一例として、紙媒体１００はＡ５サイズのノートである。用紙１１１に予め印刷された図柄のレイアウト等を示すフォーマットは、紙媒体１００の種別毎又は用紙１１１のページ毎に異なる。紙媒体１００は、表表紙１１０Ｌ及び左側の用紙１１１が左読取装置２Ｌの上面に載置され、且つ、裏表紙１１０Ｒ及び右側の用紙１１１が右読取装置２Ｒの上面に載置されるように、読取装置２上に装着される。本実施形態では、紙媒体１００は、両面テープ及び粘着性を有する樹脂フィルム等によって、紙媒体１００が読取装置２に位置決めされた状態で装着される。ユーザは電子ペン３を用いて紙媒体１００の用紙１１１に線画を筆記できる。
【００１８】
電子ペン３は、公知の電磁誘導式の電子ペンであり、筒体３０、芯体３１、コイル３２、可変容量コンデンサ３３、基板３４、コンデンサ３５、及びインク収納部３６を主に備える。筒体３０は、円柱状の形状を有し、芯体３１の一部、コイル３２、可変容量コンデンサ３３、基板３４、コンデンサ３５、及びインク収納部３６を内部に収容する。芯体３１は、電子ペン３の先端部（図１では下側）に設けられている。芯体３１は図示外の弾性部材によって、電子ペン３の先端側に付勢されている。芯体３１の先端部は、筒体３０の外部に突出している。芯体３１の後端側（図１では上側）は、インクが収納されているインク収納部３６に接続されている。インク収納部３６は、芯体３１にインクを供給する。ユーザが電子ペン３を用いて用紙１１１に筆記すると、インクによって用紙１１１に線画が形成される。
【００１９】
コイル３２は、インク収納部３６の周囲に巻回された状態で、芯体３１と可変容量コンデンサ３３との間に保持されている。可変容量コンデンサ３３は、基板３４によって電子ペン３の内部に固定されている。基板３４には、コンデンサ３５が搭載されている。コンデンサ３５及び可変容量コンデンサ３３はコイル３２に並列に接続され、周知の共振（同調）回路を構成する。
【００２０】
ＰＣ１９は、汎用のノート型のパーソナルコンピュータである。ＰＣ１９は、入力部１９１及びディスプレイ１９２を備える。入力部１９１は、各種指示を入力するために使用される。ディスプレイ１９２は、画像を表示する。手書入力システム１では、ＰＣ１９としてパーソナルコンピュータの代わりに周知の情報端末（タブレットＰＣ、及びスマートフォン等）が用いられてもよい。
【００２１】
図３を参照して、手書入力システム１の電気的構成を説明する。まず、読取装置２の電気的構成と、読取装置２がストロークデータを取得する原理の概要とを説明する。読取装置２は、センサ基板７Ｌ，７Ｒ、メイン基板２０、及びセンサ制御基板２８，２９を備える。センサ基板７Ｌ，７Ｒは、夫々、左読取装置２Ｌ、右読取装置２Ｒ内に設けられる。
【００２２】
メイン基板２０は、ＣＰＵ２１、ＲＡＭ２２、フラッシュＲＯＭ２３、無線通信部２４、ＵＳＢジャック２５、及び電源回路２６を備えている。ＲＡＭ２２、フラッシュＲＯＭ２３、無線通信部２４、ＵＳＢジャック２５は、ＣＰＵ２１に電気的に接続されている。ＣＰＵ２１は、読取装置２の制御を行う。ＲＡＭ２２は、演算データ等の各種データを一時的に記憶する。フラッシュＲＯＭ２３には、ＣＰＵ２１が読取装置２を制御するために実行する各種プログラム、及び出力情報テーブル９５（図４参照）が記憶されている。また、フラッシュＲＯＭ２３にはストロークデータ等が記憶される。無線通信部２４は、外部の電子機器と近距離無線通信を実行するためのコントローラである。
【００２３】
ＵＳＢジャック２５は、ＵＳＢプラグ（図示外）が抜き差しされるジャックである。ＣＰＵ２１は、ＵＳＢジャック２５に抜き差しされるＵＳＢプラグを介して外部機器と電気的に接続可能である。ＣＰＵ２１は、３つのＬＥＤ５に電気的に接続されている。ＣＰＵ２１は、読取装置２の状態に応じて３つのＬＥＤ５を発光させる。電源回路２６は、電池２７に電気的に接続されている。図示しないが、電源回路２６は電池２７から出力される電圧を、各電気的構成用の電圧に調整し、各電気的構成に電力を供給する。ＣＰＵ２１は、電源回路２６を制御して、電力を供給する電気的構成を選択することができる。
【００２４】
センサ基板７Ｌ、７Ｒには、Ｘ軸方向及びＹ軸方向の各々に細長いループコイルが多数配列されている。センサ基板７Ｌは、センサ制御基板２８のＡＳＩＣ２８Ａに電気的に接続されている。ＡＳＩＣ２８Ａは、電子ペン３による筆記動作がセンサ基板７Ｌ上で行われた場合に、筆記動作に基づいて座標情報を検出し、ストロークデータを作成する処理を実行する。ストロークデータには、軌跡上の複数の位置を示す複数の座標情報が含まれる。センサ基板７Ｒは、センサ制御基板２９のＡＳＩＣ２９Ａに電気的に接続されている。ＡＳＩＣ２９Ａは、電子ペン３による筆記動作がセンサ基板７Ｒ上で行われた場合に、筆記動作に基づいて座標情報を検出し、ストロークデータを作成する処理を実行する。ＡＳＩＣ２８Ａ，２９Ａのうち、マスター側のＡＳＩＣ２８ＡはＣＰＵ２１に直接接続され、スレーブ側のＡＳＩＣ２９ＡはＡＳＩＣ２８Ａを介してＣＰＵ２１に接続されている。
【００２５】
センサ基板７Ｌ，７Ｒ上で電子ペン３による筆記動作が行われた場合にストロークデータが取得される原理を、概略的に説明する。ＣＰＵ２１はＡＳＩＣ２８Ａ，２９Ａを制御して、センサ基板７Ｌ，７Ｒの各々のループコイルに、一本ずつ特定の周波数の電流（励磁用送信電流）を流す。これにより、センサ基板７Ｌ，７Ｒの各々のループコイルから磁界が発生する。この状態で、例えばユーザが電子ペン３を用いて、読取装置２に固定された紙媒体１００の用紙１１１に線画を筆記する動作を行うと、電子ペン３はセンサ基板７Ｌ，７Ｒに近接する。そのため、電子ペン３の共振回路は電磁誘導によって共振し、誘導磁界を生じる。
【００２６】
次に、ＣＰＵ２１はＡＳＩＣ２８Ａ，２９Ａを制御して、センサ基板７Ｌ，７Ｒの各々のループコイルからの磁界の発生を停止させる。センサ基板７Ｌ，７Ｒの各々のループコイルは、電子ペン３の共振回路から発せられる誘導磁界を受信する。ＣＰＵ２１はＡＳＩＣ２８Ａ，２９Ａを制御して、センサ基板７Ｌ，７Ｒの各々のループコイルに流れる信号電流（受信電流）を検出させる。ＡＳＩＣ２８Ａ，２９Ａがこの動作を全てのループコイルについて一本ずつ実行することで、受信電流に基づいて電子ペン３の位置が座標情報として検出される。
【００２７】
さらに、電子ペン３を用いて用紙１１１に線画を筆記する動作が行われている状態では、芯体３１に筆圧が付与される。コイル３２のインダクタンスは、芯体３１に付与される筆圧に応じて変化する。これにより、芯体３１に付与される筆圧に応じて、電子ペン３の共振回路の共振周波数が変化する。ＣＰＵ２１は、共振周波数の変化（位相変化）を検出して、電子ペン３に付与された筆圧を特定する。つまりＣＰＵ２１は、特定した筆圧によって、紙媒体１００の用紙１１１に線画が筆記されている状態であるか否かを判断できる。ＣＰＵ２１は、用紙１１１に線画が筆記されていると判断した場合、電子ペン３の軌跡を示すストロークデータを取得し、ＲＡＭ２２又はフラッシュＲＯＭ２３に記憶する。
【００２８】
次に、ＰＣ１９の電気的構成について説明する。ＰＣ１９は、ＣＰＵ４１、ハードディスクドライブ（ＨＤＤ）４２、ＲＡＭ４３、無線通信部４４、入力回路４５、出力回路４６、入力部１９１、及びディスプレイ１９２を主に備える。ＣＰＵ４１は、ＰＣ１９の制御を行う。ＣＰＵ４１は、ハードディスクドライブ（ＨＤＤ）４３、ＲＡＭ４３、無線通信部４４、入力回路４５、及び出力回路４６と電気的に接続している。ＨＤＤ４２には、ＣＰＵ４１が実行する各種プログラムが記憶される。
【００２９】
ＰＣ１９は、図示外の媒体読取装置（例えば、ＣＤ−ＲＯＭドライブ）を備える。ＰＣ１９は、記憶媒体（例えば、ＣＤ−ＲＯＭ）に記憶されているプログラムを、媒体読取装置で読み取ってＨＤＤ４２にインストールできる。また、ＰＣ１９に接続されている外部機器（図示外）またはネットワークからプログラムを受信して、ＨＤＤ４２にインストールしてもよい。
【００３０】
ＲＡＭ４３は、種々の一時データを記憶する。無線通信部４４は、外部の電子機器と無線通信を実行するためのコントローラである。入力回路４５は、ＣＰＵ４１へ入力部１９１（例えば、マウス、キーボード、タッチパネルなど）からの指示を送る制御を行う。出力回路４６は、ＣＰＵ４１からの指示に応じてディスプレイ１９２に画像を表示する制御を行う。
【００３１】
ＣＰＵ４１は、無線通信部４４を介して読取装置２との間で近距離無線通信を実行する。読取装置２のフラッシュＲＯＭ２３に記憶されているストロークデータは、読取装置２からＰＣ１９に転送される。ＣＰＵ４１は、読取装置２から転送されたストロークデータをＲＡＭ４３又はＨＤＤ４２に記憶する。なお、読取装置２からＰＣ１９に対してストロークデータが転送される場合の通信は、無線通信に限定されず有線通信であってもよい。
【００３２】
ＣＰＵ４１は、ＲＡＭ４３又はＨＤＤ４２に記憶したストロークデータに基づく文字列を特定することも可能である。この場合、ＣＰＵ４１は、Optical Character Recognition（ＯＣＲ）処理を実行する。
【００３３】
読取装置２が設定される状態について説明する。読取装置２は、動作状態、スリープ状態、パワーオフ状態に設定される。本実施形態では、動作状態とは、読取装置２の機能の全てを使用可能な状態であり、読取装置２の電気的構成（図３参照）の全ての電気的構成に電力が供給されている状態であるとする。スリープ状態は、動作状態より消費電力が小さい。本実施形態では、スリープ状態は、ＣＰＵ２１において、メイン処理におけるＳ３２〜Ｓ４０（図６参照）を行うために必要な回路ブロック以外の回路ブロックに、電力が供給されていない状態であるとする。少なくとも、センサ基板７Ｌ，７Ｒ、ＡＳＩＣ２８Ａ，２９Ａ、及び無線通信部２４は、電力が供給されているので動作可能である。ＬＥＤ５には電力が供給されているので、読取装置２の外観は、動作状態にある場合と同じである。パワーオフ状態は、スリープ状態より消費電力が小さい。本実施形態では、パワーオフ状態は、読取装置２が動作不能な状態ではあり、電池２７からの電力が電源回路２６以外の回路に供給されていない状態である。このため、センサ基板７Ｌ，７Ｒ、ＡＳＩＣ２８Ａ，２９Ａ、及び無線通信部２４は、電力が供給されておらず、動作不能である。ユーザが電源スイッチ（図示略）をオンすると、ＣＰＵ２１に電源が供給され、読取装置２が動作状態に設定される。
【００３４】
図４を参照して、出力情報テーブル９５について説明する。出力情報テーブル９５は、フラッシュＲＯＭ２３に記憶されている。出力情報テーブル９５では、複数種類の出力情報について、スリープカウントリセット要因情報であるか否か、及びパワーオフカウントリセット要因情報であるか否かが登録されている。図４では、出力情報を出力する回路が対応付けられているが、説明のために記載しているものであり、実際には、出力情報を出力する回路は対応付けられていなくてもよい。なお、出力情報を出力する回路を出力情報テーブル９５に対応付けてもよい。
【００３５】
出力情報は、ＣＰＵ２１以外の回路から出力され、ＣＰＵ２１によって取得される情報である。ペンダウン信号は、筆記しようとするユーザが電子ペン３を用紙１１１に接触させてセンサ基板７Ｌ，７Ｒにおいて座標情報が検出された場合に、ＡＳＩＣ２８Ａ，２９Ａから出力される信号である。ペンアップ信号は、ユーザが電子ペン３を用紙１１１から離してセンサ基板７Ｌ、７Ｒにおいて座標情報が検出されなくなった場合に、ＡＳＩＣ２８Ａ，２９Ａから出力される信号である。
【００３６】
ステータスリクエスト、ファイル一覧リクエスト、本体情報リクエスト、及びデータ受信リクエストは、ＰＣ１９から送信され、無線通信部２４において受信されてＣＰＵ２１に出力された出力情報である。ステータスリクエストは、ＰＣ１９が読取装置２に対して、ステータス情報（例えば、読取装置２において設定されている各種設定の情報等）の送信を要求する出力情報である。ファイル一覧リクエストは、ＰＣ１９が読取装置２に対して、フラッシュＲＯＭ２３に記憶されているファイルの一覧の送信を要求する出力情報である。本体情報リクエストは、ＰＣ１９が読取装置２に対して、読取装置２の本体情報（例えば、機種品番等）の送信を要求する出力情報である。データ受信リクエストは、ＰＣ１９が読取装置２にデータを送信する場合に、データを受信するように要求する出力情報である。
【００３７】
本実施形態では、ＵＳＢジャック２５にＵＳＢプラグが差し込まれた場合、ＵＳＢジャック２５の１つの端子に接続されている回路（図示外）が、グランドレベルの電圧のＬｏｗ信号を出力する。ＵＳＢジャック２５からＵＳＢプラグが抜き取られた場合、ＵＳＢジャック２５の１つの端子に接続されている回路が、Ｌｏｗ信号より電圧が高いＨｉｇｈ信号を出力する。ＵＳＢ抜き取り信号は、ＵＳＢジャック２５にＵＳＢプラグが差し込まれている状態からＵＳＢプラグが引き抜かれた場合に、Ｈｉｇｈ信号からＬｏｗ信号に変化する信号である。ＵＳＢ差し込み信号は、ＵＳＢジャック２５にＵＳＢプラグが差し込まれていない状態からＵＳＢプラグが差し込まれた場合に、Ｌｏｗ信号からＨｉｇｈ信号に変化する信号である。
【００３８】
スリープカウントリセット要因情報は、スリープ状態に設定する時間（後述する時間ＣＮＴ＿ＳＬＥＥＰ）をリセットする要因とする出力情報であることを示す。ＣＰＵ２１は、取得した出力情報がスリープカウントリセット要因情報である場合には、スリープ状態に設定する時間をリセットする。ペンダウン信号、ペンアップ信号、データ受信リクエスト、ＵＳＢ抜き取り信号、及びＵＳＢ差し込み信号は、スリープカウントリセット要因情報である。
【００３９】
パワーオフカウントリセット要因情報は、パワーオフ状態に設定する時間（後述する時間ＣＮＴ＿ＰＯＷＥＲ）をリセットする要因とする出力情報であることを示す。ＣＰＵ２１は、取得した出力情報がパワーオフカウントリセット要因情報である場合には、パワーオフ状態に設定する時間をリセットする。ペンダウン信号、データ受信リクエスト、ＵＳＢ抜き取り信号、及びＵＳＢ差し込み信号は、パワーオフカウントリセット要因情報である。
【００４０】
復帰要因情報は、スリープ状態にある読取装置２を動作状態に復帰させる要因とする出力情報であることを示す。ＣＰＵ２１は、取得した出力情報が復帰要因情報である場合には、スリープ状態にある読取装置２を動作状態に設定する。ペンダウン信号、ステータスリクエスト、ファイル一覧リクエスト、本体情報リクエスト、データ受信リクエスト、ＵＳＢ差し込み信号は、復帰要因情報である。なお、例えば、読取装置２がスリープ状態である場合に、ＰＣ１９が要求する情報を受信した無線通信部２４が、ＣＰＵ２１に動作状態に設定するように指示するＷＡＫＥＵＰ信号を出力するようにしてもよい。この場合、ＷＡＫＥＵＰ信号が復帰要因情報である。
【００４１】
図５〜図７を参照して、読取装置２のＣＰＵ２１によって実行されるメイン処理について説明する。ＣＰＵ２１は、読取装置２の電源がＯＮされた場合に、フラッシュＲＯＭ２３に記憶されたプログラムに基づいて動作することで、メイン処理を開始する。
【００４２】
メイン処理では、ＣＰＵ２１は、読取装置２を動作状態に設定する（Ｓ１１）。次いで、ＣＰＵ２１は、時間ＣＮＴ＿ＳＬＥＥＰ、時間ＣＮＴ＿ＰＯＷＥＲ、時間ＣＮＴ＿ＤＥＬＡＹ＿ＳＬＥＥＰ、時間ＣＮＴ＿ＤＥＬＡＹ＿ＰＯＷＥＲ、時間ＣＮＴ＿ＢＡＴＴＥＲＹを「０」に設定する（Ｓ１２）。また、ＣＰＵ２１は、フラグＦＬＧ＿ＳＬＥＥＰとフラグＦＬＧ＿ＰＯＷＥＲとを「ＦＡＬＳＥ」に設定する（Ｓ１２）。時間ＣＮＴ＿ＳＬＥＥＰは、動作状態からスリープ状態に移行する時間をカウントするための変数である。本実施形態では、時間ＣＮＴ＿ＳＬＥＥＰが第一所定時間（例えば、３０秒）に達した場合に、スリープ状態に設定される。時間ＣＮＴ＿ＰＯＷＥＲは、スリープ状態からパワーオフ状態に移行する時間をカウントするための変数である。本実施形態では、時間ＣＮＴ＿ＰＯＷＥＲが第三所定時間（例えば、１５分）に達した場合に、パワーオフ状態に設定される。
【００４３】
時間ＣＮＴ＿ＤＥＬＡＹ＿ＳＬＥＥＰは、スリープ状態に設定される直前に出力情報が取得された場合に、出力情報に対応する処理を行う時間を確保するための時間をカウントする変数である。時間ＣＮＴ＿ＤＥＬＡＹ＿ＰＯＷＥＲは、パワーオフ状態に設定される直前に出力情報が取得された場合に、出力情報に対応する処理を行う時間を確保するための時間をカウントする変数である。フラグＦＬＧ＿ＳＬＥＥＰは、時間ＣＮＴ＿ＤＥＬＡＹ＿ＳＬＥＥＰをカウントしているか否かを示すフラグである。フラグＦＬＧ＿ＳＬＥＥＰは、時間ＣＮＴ＿ＤＥＬＡＹ＿ＳＬＥＥＰがカウントされている場合、「ＴＲＵＥ」に設定され、カウントされていない場合「ＦＡＬＳＥ」に設定される。フラグＦＬＧ＿ＰＯＷＥＲは、時間ＣＮＴ＿ＤＥＬＡＹ＿ＰＯＷＥＲをカウントしているか否かを示すフラグである。フラグＦＬＧ＿ＰＯＷＥＲは、時間ＣＮＴ＿ＤＥＬＡＹ＿ＰＯＷＥＲがカウントされている場合、「ＴＲＵＥ」に設定され、カウントされていない場合「ＦＡＬＳＥ」に設定される。
【００４４】
なお、以下の説明では、時間を計測する場合、時間をインクリメントし、「１」ずつ加算していく。本実施形態では、インクリメントする「１」は、実時間の「０．１」秒に相当するとする。なお、時間の計測の仕方は一例であり、例えば、時刻を計測する電子部品（例えば、リアルタイムクロック）の出力値を取得し、計測の初めから終わりまでの差分を算出して時間を計測してもよい。
【００４５】
ＰＣ１９が要求する情報（ステータスリクエスト等）が受信されておらず、ユーザによる読取装置２への操作及び電子ペン３による書き込みが行われない場合に、動作状態からスリープ状態を介して、パワーオフ状態に設定される場合を第一具体例として説明する。
【００４６】
ＣＰＵ２１は、時間ＣＮＴ＿ＳＬＥＥＰが第一所定時間以上であるか否かを判断する（Ｓ１３）。本実施形態では、第一所定時間は３０秒であるとする。時間ＣＮＴ＿ＳＬＥＥＰが第一所定時間以上ではない場合（Ｓ１３：ＮＯ）、出力情報が取得されたか否かが判断される（Ｓ１４）。ＰＣ１９が要求する情報が受信されておらず、ユーザによる読取装置２への操作及び電子ペン３による書き込みが行われない場合、出力情報が取得されない。
【００４７】
出力情報が取得されない場合（Ｓ１６：ＮＯ）、ＣＰＵ２１は、フラグＦＬＧ＿ＳＬＥＥＰが「ＴＲＵＥ」であるか否かを判断する（Ｓ１７）。フラグＦＬＧ＿ＳＬＥＥＰが「ＴＲＵＥ」でない場合（Ｓ１７：ＮＯ）、ＣＰＵ２１は、時間ＣＮＴ＿ＳＬＥＥＰをインクリメントする（Ｓ１９）。ＣＰＵ２１は、フラグＦＬＧ＿ＰＯＷＥＲが「ＴＲＵＥ」であるか否かを判断する（Ｓ２０）。フラグＦＬＧ＿ＰＯＷＥＲが「ＴＲＵＥ」でない場合（Ｓ２０：ＮＯ）、ＣＰＵ２１は、時間ＣＮＴ＿ＰＯＷＥＲをインクリメントする（Ｓ２２）。ＣＰＵ２１は、時間ＣＮＴ＿ＰＯＷＥＲが第三所定時間以上であるか否かを判断する。本実施形態では、第三所定時間は、１５分であるとする。時間ＣＮＴ＿ＰＯＷＥＲが第三所定時間以上でない場合（Ｓ２３：ＮＯ）、ＣＰＵ２１は処理をＳ１３に戻す。
【００４８】
ＰＣ１９が要求する情報（ステータスリクエスト等）が受信されておらず、ユーザによる読取装置２への操作及び電子ペン３による書き込みが行われない場合、ＣＰＵ２１は、Ｓ１３：ＮＯ、Ｓ１６：ＮＯ、Ｓ１７：ＮＯ、Ｓ１９、Ｓ２０：ＮＯ、Ｓ２２、Ｓ２３：ＮＯの処理を繰り返す。Ｓ１９によってＣＮＴ＿ＳＬＥＥＰがインクリメントされ、時間ＣＮＴ＿ＳＬＥＥＰが第一所定時間以上になると（Ｓ１３：ＹＥＳ）、ＣＰＵ２１は、フラグＦＬＧ＿ＳＬＥＥＰが「ＴＲＵＥ」であるか否かを判断する（Ｓ１４）。
【００４９】
フラグＦＬＧ＿ＳＬＥＥＰが「ＦＡＬＳＥ」である場合（Ｓ１４：ＮＯ）、ＣＰＵ２１は、時間ＣＮＴ＿ＳＬＥＥＰ、時間ＣＮＴ＿ＤＥＬＡＹ＿ＳＬＥＥＰ、及び時間ＣＮＴ＿ＤＥＬＡＹ＿ＰＯＷＥＲを「０」に設定し、フラグＦＬＧ＿ＳＬＥＥＰ及びフラグＦＬＧ＿ＰＯＷＥＲを「ＦＡＬＳＥ」に設定する（Ｓ２４）。次いで、図６に示すように、ＣＰＵ２１は、読取装置２をスリープ状態に設定する（Ｓ３１）。ＣＰＵ２１は、時間ＣＮＴ＿ＢＡＴＴＥＲＹを「０」に設定する（Ｓ３２）。ＣＰＵ２１は、時間ＣＮＴ＿ＢＡＴＴＥＲＹが第五所定時間以上であるか否かを判断する（Ｓ３３）。時間ＣＮＴ＿ＢＡＴＴＥＲＹが第五所定時間以上でない場合（Ｓ３３：ＮＯ）、ＣＰＵ２１は、復帰要因の出力情報を取得したか否かを判断する（Ｓ３４）。復帰要因の出力情報が取得されていない場合（Ｓ３４：ＮＯ）、ＣＰＵ２１は、時間ＣＮＴ＿ＢＡＴＴＥＲＹをインクリメントする（Ｓ３５）。
【００５０】
ＣＰＵ２１は、時間ＣＮＴ＿ＰＯＷＥＲをインクリメントする（Ｓ３６）。ＣＰＵ２１は、Ｓ２３（図５参照）と同様に、時間ＣＮＴ＿ＰＯＷＥＲが第三所定時間以上であるか否かがを判断する（Ｓ３７）。時間ＣＮＴ＿ＰＯＷＥＲが第三所定時間より小さい場合（Ｓ３７：ＮＯ）、ＣＰＵ２１は処理をＳ３３に戻す。
【００５１】
時間ＣＮＴ＿ＢＡＴＴＥＲＹが第五所定時間以上となった場合（Ｓ３３：ＹＥＳ）、ＣＰＵ２１は、電池２７の電力残量を検出する（Ｓ３８）。ＣＰＵ２１は、Ｓ３８で検出した電池２７の電力残量に基づき、ＬＥＤ５の状態を変更するか否かを判断する（Ｓ３９）。本実施形態では、電池２７の電力残量によってＬＥＤ５の状態が３段階に変更されるとする。電池２７の電力残量が最大値以下、最大値の２／３以上の範囲では、３つのＬＥＤ５が発光される。電池２７の電力残量が最大値の２／３未満、１／３以上の範囲では、２つのＬＥＤ５が発光される。電池２７の電力残量が最大値の１／３未満、０以上の範囲では、１つのＬＥＤ５が発光される。ＬＥＤ５の状態を変更しない場合（Ｓ３９：ＮＯ）、ＣＰＵ２１は処理をＳ３２に戻す。ＬＥＤ５の状態を変更する場合（Ｓ３９：ＮＯ）、ＣＰＵ２１は、ＬＥＤ５の状態を変更する（Ｓ４０）。本実施形態では、発光されるＬＥＤ５の数が変更される。ＣＰＵ２１は処理をＳ３２に戻す。
【００５２】
このように、読取装置２がスリープ状態であっても、ＣＰＵ２１は、時間ＣＮＴ＿ＢＡＴＴＥＲＹが第五所定時間以上となると（Ｓ３３：ＹＥＳ）、電池２７の電力残量を検出し（Ｓ３８）、検出結果を出力できる（Ｓ４０）。このため、スリープ状態において常に電池２７の電力残量を検出する場合に比べて、読取装置２の消費電力を低減できる。
【００５３】
ＰＣ１９が要求する情報が受信されておらず、ユーザによる読取装置２への操作及び電子ペン３による書き込みが行われない場合、ＣＰＵ２１は、Ｓ３３：ＮＯ、Ｓ３４：ＮＯ、Ｓ３５、Ｓ３６、Ｓ３７：ＮＯの処理を繰り返す。そして、ＣＰＵ２１は、時間ＣＮＴ＿ＢＡＴＴＥＲＹが第五所定時間以上になる度に（Ｓ３３：ＹＥＳ）、Ｓ３８〜Ｓ４０の処理を実行する。時間ＣＮＴ＿ＰＯＷＥＲが第三所定時間以上になった場合（Ｓ３７：ＹＥＳ）、ＣＰＵ２１は読取装置２を動作状態に設定する（Ｓ４１）。次いで、図５に示すように、ＣＰＵ２１は、読取装置２をパワーオフ状態に設定する（Ｓ２７）。なお、Ｓ４１で動作状態に設定したのは、読取装置２を一旦動作状態に設定して、パワーオフ状態に設定する処理を実行するためであり、例えば、読取装置２を動作状態に設定することなく、パワーオフ状態に設定できるようにしてもよい。次いで、ＣＰＵ２１は、メイン処理を終了する。以上のように、第一具体例では、ＰＣ１９が要求する情報が受信されておらず、ユーザによる読取装置２への操作及び電子ペン３による書き込みが行われない場合、スリープ状態に設定された後、パワーオフ状態に設定される。このため、スリープ状態又はパワーオフ状態に設定されない場合に比べて、読取装置２の消費電力を低減することができる。
【００５４】
次に、動作状態に設定された後、スリープ状態に設定される前に、ユーザが電子ペンで用紙１１１に記入を行う場合を第二具体例として説明する。時間ＣＮＴ＿ＳＬＥＥＰが第一所定時間以上になる前に（Ｓ１３：ＮＯ）、ユーザが電子ペンで用紙１１１に筆記すると、ペンダウン信号が出力される。ペンダウン信号を取得したＣＰＵ２１は、出力情報を取得したと判断し（Ｓ１６：ＹＥＳ）、図７に示すように、フラッシュＲＯＭ２３に記憶された出力情報テーブル９５を参照し、Ｓ１６又はＳ３４（後述）で取得した出力情報が、スリープカウントリセット要因情報であるか否かを判断する（Ｓ５１）。ペンダウン信号は、スリープカウントリセット要因情報であると判断され（Ｓ５１：ＹＥＳ）、ＣＰＵ２１は、時間ＣＮＴ＿ＳＬＥＥＰと時間ＣＮＴ＿ＤＥＬＡＹ＿ＳＬＥＥＰとを「０」にリセットし、フラグＦＬＧ＿ＳＬＥＥＰを「ＦＡＬＳＥ」に設定する（Ｓ５２）。
【００５５】
ＣＰＵ２１は、フラッシュＲＯＭ２３に記憶された出力情報テーブル９５を参照し、Ｓ１６又はＳ３４（後述）で取得した出力情報が、パワーオフカウントリセット要因情報であるか否かを判断する（Ｓ５５）。ペンダウン信号は、パワーオフカウントリセット要因情報であると判断され（Ｓ５５：ＹＥＳ）、ＣＰＵ２１は、時間ＣＮＴ＿ＳＬＥＥＰと時間ＣＮＴ＿ＤＥＬＡＹ＿ＰＯＷＥＲとを「０」にリセットし、フラグＦＬＧ＿ＳＬＥＥＰを「ＦＡＬＳＥ」に設定する。図６に示すように、ＣＰＵ２１は、Ｓ１７以降の処理を実行する。
【００５６】
第二具体例では、出力情報がスリープカウントリセット要因情報である場合には（Ｓ５１：ＹＥＳ）、時間ＣＮＴ＿ＳＬＥＥＰが「０」にリセットされる（Ｓ５２）。ユーザが電子ペン３を使用して用紙１１１に筆記した場合、スリープカウントリセット要因情報の１つであるペンダウン信号が出力されるので、時間ＣＮＴ＿ＳＬＥＥＰが「０」にリセットされる（Ｓ５２）。このため、このため、読取装置２がスリープ状態に設定されず、ユーザは動作状態にある読取装置２を使用して継続して筆記することができる。
【００５７】
次に、読取装置２が、スリープ状態に設定された後、ユーザが電子ペンで用紙１１１に記入し、動作状態に復帰する場合を第三具体例として説明する。図６に示すように、Ｓ３１においてスリープ状態に設定されると、Ｓ３２〜Ｓ４０の処理が繰り返される。時間ＣＮＴ＿ＰＯＷＥＲが第三所定時間以上になる前に（Ｓ３７：ＮＯ）、ユーザが電子ペンで用紙１１１に筆記すると、ペンダウン信号が出力される。出力情報テーブル９５（図４参照）において、ペンダウン信号は、復帰要因の出力情報であるので（Ｓ３４：ＹＥＳ）、ＣＰＵ２１は、読取装置２をスリープ状態から動作状態に設定する（Ｓ４２）。
【００５８】
次いで、図７に示すように、ＣＰＵ２１は、取得した出力情報がスリープカウントリセット要因情報であるか否かを判断する（Ｓ５１）。出力情報テーブル９５（図４参照）において、ペンダウン信号はスリープカウントリセット要因情報とパワーオフカウントリセット要因情報である。このため、ＣＰＵ２１は、Ｓ５１：ＹＥＳ、Ｓ５２、Ｓ５５：ＹＥＳ、Ｓ５６の処理を実行し、図５に示すように処理をＳ１７に進める。
【００５９】
第三具体例では、読取装置２がスリープ状態である場合において、出力情報が取得された場合（Ｓ３４：ＹＥＳ）、動作状態に設定される（Ｓ４２）。また、出力情報がパワーオフカウントリセット要因情報である場合には（Ｓ５５：ＹＥＳ）、時間ＣＮＴ＿ＰＯＷＥＲが「０」にリセットされる（Ｓ５６）。ユーザが電子ペン３を使用して用紙１１１に筆記した場合、パワーオフカウントリセット要因情報の１つであるペンダウン信号が出力されるので、時間ＣＮＴ＿ＰＯＷＥＲが「０」にリセットされる（Ｓ５６）。このため、読取装置２がパワーオフ状態に設定されず、ユーザは動作状態にある読取装置２を使用して継続して筆記することができる。
【００６０】
次に、読取装置２が動作状態である場合において、時間ＣＮＴ＿ＳＬＥＥＰの値が２０秒のときに、スリープカウントリセット要因情報ではない出力情報が取得された場合を第四具体例として説明する。第四具体例では、スリープカウントリセット要因情報ではない出力情報は、ステータス情報リクエストであるとする。
【００６１】
ステータス情報リクエストが無線通信部２４によって受信されると、無線通信部２４からステータス情報リクエストがＣＰＵ２１に出力される。ＣＰＵ２１は、出力情報を取得したと判断する（Ｓ１６：ＹＥＳ）。ステータス情報リクエストは、スリープカウントリセット要因情報ではなく、パワーオフカウントリセット要因情報でもない（図４参照）。このため、ＣＰＵ２１は、スリープカウントリセット要因情報ではないと判断する（Ｓ５１：ＮＯ）。次いで、ＣＰＵ２１は、時間ＣＮＴ＿ＤＥＬＡＹ＿ＳＬＥＥＰをカウントするか否かを判断する（Ｓ５３）。本実施形態では、ＣＰＵ２１は、動作状態において出力情報を取得し（Ｓ１６：ＹＥＳ）、且つ、時間ＣＮＴ＿ＳＬＥＥＰが第一所定時間の直前２秒間（本実施形態では、時間ＣＮＴ＿ＳＬＥＥＰが２８秒以上、３０秒以下）の範囲にある場合に、時間ＣＮＴ＿ＤＥＬＡＹ＿ＳＬＥＥＰをカウントすると判断する。第四具体例では、時間ＣＮＴ＿ＳＬＥＥＰの値は２０秒であるので、ＣＰＵ２１は、時間ＣＮＴ＿ＳＬＥＥＰをカウントしないと判断し（Ｓ５３：ＮＯ）、取得した出力情報がパワーオフカウントリセット要因情報ではないと判断する（Ｓ５５：ＮＯ）。
【００６２】
次いで、ＣＰＵ２１は、時間ＣＮＴ＿ＤＥＬＡＹ＿ＳＬＥＥＰをカウントするか否かを判断する（Ｓ５７）。本実施形態では、ＣＰＵ２１は、スリープ状態において出力情報を取得し（Ｓ３４：ＹＥＳ）、且つ、時間ＣＮＴ＿ＰＯＷＥＲが第二所定時間の直前２秒間（本実施形態では、時間ＣＮＴ＿ＰＯＷＥＲが１４分５８秒以上、１５分以下）の範囲にある場合に、時間ＣＮＴ＿ＤＥＬＡＹ＿ＰＯＷＥＲをカウントすると判断する。第四具体例では、ＣＰＵ２１は、時間ＣＮＴ＿ＳＬＥＥＰをカウントしないと判断し（Ｓ５７：ＮＯ）、処理をＳ１７に進める。
【００６３】
ＣＰＵ２１は、Ｓ１３：ＮＯ、Ｓ１６：ＮＯ、Ｓ１７：ＮＯ、Ｓ１９、Ｓ２０：ＮＯ、Ｓ２２、Ｓ２３：ＮＯの処理を繰り返す。第四実施形態では、Ｓ５２（図７参照）が実行されていないため、時間ＣＮＴ＿ＳＬＥＥＰが「０」にリセットされていない。このため、ＣＰＵ２１は、２０秒からの続きの時間をカウントする（Ｓ１９）。時間ＣＮＴ＿ＳＬＥＥＰが第一所定時間以上になると（Ｓ１３：ＹＥＳ）、フラグＦＬＧ＿ＳＬＥＥＰが「ＴＲＵＥ」ではないので（Ｓ１４：ＮＯ）、ＣＰＵ２１は、読取装置２を動作状態からスリープ状態に設定する（Ｓ３１）。
【００６４】
第四具体例では、出力情報がスリープカウントリセット要因情報ではないので（Ｓ５１：ＮＯ）、Ｓ５２が実行されず、時間ＣＮＴ＿ＳＬＥＥＰが「０」にリセットされない。このため、Ｓ１６において出力情報が取得されても、第一所定時間経過後に読取装置２がスリープ状態に設定される（Ｓ１３：ＹＥＳ、Ｓ３１）。よって、ＣＰＵ２１が出力情報を取得する度に時間ＣＮＴ＿ＳＬＥＥＰがリセットされてスリープ状態に設定されない場合に比べて、読取装置２の消費電力を低減できる。
【００６５】
次に、読取装置２が動作状態であり、スリープ状態に設定される１秒前に、スリープカウントリセット要因情報ではない出力情報が取得された場合を第五具体例として説明する。第五具体例では、スリープカウントリセット要因情報ではない出力情報は、ＰＣ１９からのステータス情報リクエストであるとする。
【００６６】
ステータス情報リクエストが無線通信部２４によって受信されると、無線通信部２４からステータス情報リクエストがＣＰＵ２１に出力される。ＣＰＵ２１は、出力情報を取得したと判断する（Ｓ１６：ＹＥＳ）。ステータス情報リクエストは、スリープカウントリセット要因情報ではなく、パワーオフカウントリセット要因情報でもない（図４参照）。このため、ＣＰＵ２１は、スリープカウントリセット要因情報ではないと判断する（Ｓ５１：ＮＯ）。第五具体例では、ＣＰＵ２１は、動作状態において出力情報を取得し（Ｓ１６：ＹＥＳ）、且つ、時間ＣＮＴ＿ＳＬＥＥＰが第一所定時間の直前２秒間の範囲にあるので、時間ＣＮＴ＿ＤＥＬＡＹ＿ＳＬＥＥＰをカウントすると判断する（Ｓ５３：ＹＥＳ）。ＣＰＵ２１は、時間ＣＮＴ＿ＤＥＬＡＹ＿ＳＬＥＥＰを「０」に設定し、フラグＦＬＧ＿ＳＬＥＥＰを「ＴＲＵＥ」に設定する。
【００６７】
次いで、ＣＰＵ２１は、パワーオフカウントリセット要因情報ではないと判断し（Ｓ５５：ＮＯ）、時間ＣＮＴ＿ＤＥＬＡＹ＿ＰＯＷＥＲをカウントしないと判断する（Ｓ５７：ＮＯ）。ＣＰＵ２１は、フラグＦＬＧ＿ＳＬＥＥＰが「ＴＲＵＥ」であると判断し（Ｓ１７：ＹＥＳ）、時間ＣＮＴ＿ＤＥＬＡＹ＿ＳＬＥＥＰをインクリメントする（Ｓ１８）。すなわち、Ｓ１８は、Ｓ５１においてスリープカウントリセット要因情報ではないと判断された場合に（Ｓ５１：ＮＯ）、時間ＣＮＴ＿ＤＥＬＡＹ＿ＳＬＥＥＰを計測する処理である。ＣＰＵ２１は、処理をＳ１９に進める。
【００６８】
ＣＰＵ２１は、時間ＣＮＴ＿ＳＬＥＥＰが第一所定時間以上になるまで、Ｓ１３：ＮＯ、Ｓ１６：ＮＯ、Ｓ１７：ＹＥＳ、Ｓ１８、Ｓ１９、Ｓ２０：ＮＯ、Ｓ２２、Ｓ２３：ＮＯの処理を繰り返す。時間ＣＮＴ＿ＳＬＥＥＰが第一所定時間以上になると（Ｓ１３：ＹＥＳ）、ＣＰＵ２１は、フラグＦＬＧ＿ＳＬＥＥＰが「ＴＲＵＥ」であると判断する（Ｓ１４：ＹＥＳ）。ＣＰＵ２１は、時間ＣＮＴ＿ＤＥＬＡＹ＿ＳＬＥＥＰが第二所定時間以上であるか否かを判断する（Ｓ１５）。本実施形態では、一例として、第二所定時間は２秒であるとする。
【００６９】
時間ＣＮＴ＿ＤＥＬＡＹ＿ＳＬＥＥＰが第二所定時間より小さい場合（Ｓ１５；ＮＯ）、ＣＰＵ２１は、処理をＳ１６に進める。ＣＰＵ２１は、時間ＣＮＴ＿ＤＥＬＡＹ＿ＳＬＥＥＰが第二所定時間以上になるまで、Ｓ１３：ＹＥＳ、Ｓ１４：ＮＯ、Ｓ１５：ＮＯ、Ｓ１６：ＮＯ、Ｓ１７：ＹＥＳ、Ｓ１８、Ｓ１９、Ｓ２０：ＮＯ、Ｓ２２、Ｓ２３：ＮＯの処理を繰り返す。時間ＣＮＴ＿ＤＥＬＡＹ＿ＳＬＥＥＰが第二所定時間以上になると（Ｓ１５：ＹＥＳ）、ＣＰＵ２１は、Ｓ２４の処理を行い、読取装置２をスリープ状態に設定する（Ｓ３１）。すなわち、第五具体例では、時間ＣＮＴ＿ＳＬＥＥＰが第一所定時間以上である場合（Ｓ１３：ＹＥＳ）、且つ、時間ＣＮＴ＿ＤＥＬＡＹ＿ＳＬＥＥＰが第二所定時間以上である場合に（Ｓ１５：ＹＥＳ）、読取装置２をスリープ状態に設定している（Ｓ３１）。
【００７０】
第五具体例に示すように、時間ＣＮＴ＿ＳＬＥＥＰが第一所定時間以上になる直前にスリープカウントリセット要因情報でない出力情報が取得されても、時間ＣＮＴ＿ＤＥＬＡＹ＿ＳＬＥＥＰが第二所定時間以上になるまでは、読取装置２がスリープ状態に設定されない（Ｓ１５：ＮＯ）。このため、読取装置２のＣＰＵ２１は、第二所定時間の間に、出力情報に対応する処理を行うことができる。第五具体例では、出力情報はステータス情報リクエストであるので、第二所定時間の間にステータス情報をＰＣ１９に送信することができる。よって、出力情報に対応する処理の途中で読取装置２がスリープ状態に設定されることを防止できる。
【００７１】
次に、読取装置２がスリープ状態である場合において、時間ＣＮＴ＿ＰＯＷＥＲの値が３分のときに、パワーオフカウントリセット要因情報でない出力情報が取得された場合を第六具体例として説明する。第六具体例では、スリープカウントリセット要因情報でない出力情報は、ステータス情報リクエストであるとする。
【００７２】
ステータス情報リクエストが無線通信部２４によって受信されると、無線通信部２４からステータス情報リクエストがＣＰＵ２１に出力される。ＣＰＵ２１は、復帰要因の出力情報を取得したと判断し（Ｓ３４：ＹＥＳ）、読取装置２をスリープ状態から動作状態に設定する（Ｓ４２）。ステータス情報リクエストは、スリープカウントリセット要因情報ではなく、パワーオフカウントリセット要因情報でもない（図４参照）。このため、図７に示すように、ＣＰＵ２１は、取得した出力情報がスリープカウントスリット要因でないと判断する（Ｓ５１：ＮＯ）。ＣＰＵ２１は、時間ＣＮＴ＿ＤＥＬＡＹ＿ＳＬＥＥＰをカウントしないと判断し（Ｓ５３：ＮＯ）、取得した出力情報がパワーオフカウントリセット要因でないと判断する（Ｓ５５：ＮＯ）。
【００７３】
第六具体例では、時間ＣＮＴ＿ＰＯＷＥＲが第二所定時間の直前２秒間の範囲にないので、ＣＰＵ２１は、時間ＣＮＴ＿ＤＥＬＡＹ＿ＰＯＷＥＲをカウントしないと判断し、（Ｓ５７：ＮＯ）、処理をＳ１７に進める。
【００７４】
ＣＰＵ２１は、Ｓ１３：ＮＯ、Ｓ１６：ＮＯ、Ｓ１７：ＮＯ、Ｓ１９、Ｓ２０：ＮＯ、Ｓ２２、Ｓ２３：ＮＯの処理を繰り返す。時間ＣＮＴ＿ＳＬＥＥＰが第一所定時間以上になると（Ｓ１３：ＹＥＳ）、ＣＰＵ２１は、読取装置２を再びスリープ状態に設定する（Ｓ３１）。ＣＰＵ２１は、Ｓ３３〜Ｓ４０の処理を繰り返す。第六具体例では、Ｓ５６（図７参照）が実行されていないため、時間ＣＮＴ＿ＰＯＷＥＲが「０」にリセットされていない。このため、ＣＰＵ２１は、Ｓ２２及びＳ３６において、時間３分からの続きの時間をカウントする。時間ＣＮＴ＿ＰＯＷＥＲが第三所定時間以上になると（Ｓ３７：ＹＥＳ）、ＣＰＵ２１は、読取装置２を動作状態に設定する（Ｓ４１）。次いで、図５に示すように、ＣＰＵ２１は、読取装置２をパワーオフ状態に設定する（Ｓ２７）。ＣＰＵ２１は、メイン処理を終了する。
【００７５】
第六具体例では、出力情報がパワーオフカウントリセット要因情報でないので（Ｓ５５：ＮＯ）、Ｓ５６が実行されず、時間ＣＮＴ＿ＰＯＷＥＲが「０」にリセットされない。このため、Ｓ３４において出力情報が取得されても、第三所定時間経過後に、読取装置２がパワーオフ状態に設定される。よって、ＣＰＵ２１が出力情報を取得する度に時間ＣＮＴ＿ＰＯＷＥＲをリセットしてパワーオフ状態に設定されない場合に比べて、読取装置２の消費電力を低減できる。
【００７６】
なお、第六具体例では、時間ＣＮＴ＿ＰＯＷＥＲの値が３分のときに、パワーオフカウントリセット要因情報でない出力情報が取得される例を示した。しかし、例えば、時間ＣＮＴ＿ＰＯＷＥＲの値が１４分４０秒のときに、パワーオフカウントリセット要因情報でない出力情報が取得された場合（Ｓ３４：ＹＥＳ）、時間ＣＮＴ＿ＳＬＥＥＰが第一所定時間（３０秒）以上になる前に（Ｓ１３：ＮＯ）、時間ＣＮＴ＿ＰＯＷＥＲが第三所定時間（１５分）以上となる（Ｓ２３：ＹＥＳ）。この場合、ＣＰＵ２１は、フラグＦＬＧ＿ＰＯＷＥＲが「ＴＲＵＥ」であるか否かを判断する（Ｓ２５）。Ｓ５８が実行されておらず、フラグＦＬＧ＿ＰＯＷＥＲが「ＦＡＬＳＥ」であるので、ＣＰＵ２１は、フラグＦＬＧ＿ＰＯＷＥＲが「ＴＲＵＥ」でないと判断し（Ｓ２５：ＮＯ）、読取装置２をパワーオフ状態に設定する（Ｓ２７）。この場合でも、第六具体例の場合と同様に、読取装置２の消費電力を低減できる。
【００７７】
次に、読取装置２がスリープ状態であり、パワーオフ状態に設定される１秒前に、パワーオフカウントリセット要因情報ではない出力情報が取得された場合を第七具体例として説明する。第七具体例では、パワーオフカウントリセット要因情報ではない出力情報は、ステータス情報リクエストであるとする。
【００７８】
ステータス情報リクエストが無線通信部２４によって受信されると、無線通信部２４からステータス情報リクエストがＣＰＵ２１に出力される。ＣＰＵ２１は、復帰要因の出力情報を取得したと判断し（Ｓ３４：ＹＥＳ）、読取装置２をスリープ状態から動作状態に設定する（Ｓ４２）。ステータス情報リクエストは、スリープカウントリセット要因情報ではなく、パワーオフカウントリセット要因情報でもない（図４参照）。このため、図７に示すように、ＣＰＵ２１は、取得した出力情報がスリープカウントスリット要因でないと判断する（Ｓ５１：ＮＯ）。ＣＰＵ２１は、時間ＣＮＴ＿ＤＥＬＡＹ＿ＳＬＥＥＰをカウントしないと判断し（Ｓ５３：ＮＯ）、取得した出力情報がパワーオフカウントリセット要因でないと判断する（Ｓ５５：ＮＯ）。
【００７９】
スリープ状態において出力情報が取得され（Ｓ３４：ＹＥＳ）、且つ、時間ＣＮＴ＿ＰＯＷＥＲが第二所定時間の直前２秒間の範囲にあるので、ＣＰＵ２１は、時間ＣＮＴ＿ＤＥＬＡＹ＿ＰＯＷＥＲをカウントすると判断する（Ｓ５７：ＹＥＳ）。ＣＰＵ２１は、時間ＣＮＴ＿ＤＥＬＡＹ＿ＰＯＷＥＲを「０」に設定し、フラグＦＬＧ＿ＰＯＷＥＲを「ＴＲＵＥ」に設定する（Ｓ５８）。次いで、ＣＰＵ２１は、フラグＦＬＧ＿ＳＬＥＥＰが「ＴＲＵＥ」でないと判断し（Ｓ１７：ＮＯ）、フラグＦＬＧ＿ＰＯＷＥＲが「ＴＲＵＥ」であると判断する（Ｓ２０：ＹＥＳ）。ＣＰＵ２１は、時間ＣＮＴ＿ＤＥＬＡＹ＿ＰＯＷＥＲをインクリメントする（Ｓ２１）。すなわち、Ｓ２１は、Ｓ５５においてパワーオフカウントリセット要因情報でないと判断された場合に（Ｓ５５；ＮＯ）、時間ＣＮＴ＿ＤＥＬＡＹ＿ＰＯＷＥＲを計測する処理である。ＣＰＵ２１は、処理をＳ２２に進める。
【００８０】
ＣＰＵ２１は、時間ＣＮＴ＿ＰＯＷＥＲが第三所定時間以上になるまで、Ｓ１３：ＮＯ、Ｓ１６：ＮＯ、Ｓ１７：ＮＯ、Ｓ１９、Ｓ２０：ＹＥＳ、Ｓ２１、Ｓ２２、Ｓ２３：ＮＯの処理を繰り返す。時間ＣＮＴ＿ＰＯＷＥＲが第三所定時間以上になると（Ｓ２３：ＹＥＳ）、ＣＰＵ２１は、フラグＦＬＧ＿ＰＯＷＥＲが「ＴＲＵＥ」であると判断する（Ｓ２５：ＹＥＳ）。ＣＰＵ２１は、時間ＣＮＴ＿ＤＥＬＡＹ＿ＰＯＷＥＲが第四所定時間以上であるか否かを判断する（Ｓ２６）。本実施形態では、一例として、第四所定時間は２秒であるとする。
【００８１】
時間ＣＮＴ＿ＤＥＬＡＹ＿ＰＯＷＥＲが第四所定時間より小さい場合（Ｓ２６：ＮＯ）、ＣＰＵ２１は、処理をＳ１３に戻す。ＣＰＵ２１は、時間ＣＮＴ＿ＤＥＬＡＹ＿ＰＯＷＥＲが第四所定時間以上になるまで、Ｓ１３：ＮＯ、Ｓ１６：ＮＯ、Ｓ１７：ＮＯ、Ｓ１９、Ｓ２０：ＹＥＳ、Ｓ２１、Ｓ２２、Ｓ２３：ＹＥＳ，Ｓ２５：ＹＥＳ，Ｓ２６：ＮＯの処理を繰り返す。時間ＣＮＴ＿ＤＥＬＡＹ＿ＰＯＷＥＲが第四所定時間以上になると（Ｓ２６：ＹＥＳ）、ＣＰＵ２１は、読取装置２をパワーオフ状態に設定する（Ｓ２７）。次いで、ＣＰＵ２１は、メイン処理を終了する。第七具体例では、時間ＣＮＴ＿ＰＯＷＥＲが第三所定時間以上である場合（Ｓ２３：ＹＥＳ）、且つ、時間ＣＮＴ＿ＤＥＬＡＹ＿ＰＯＷＥＲが第四所定時間以上である場合に（Ｓ２６：ＹＥＳ）、読取装置をパワーオフ状態設定している（Ｓ２７）。
【００８２】
第七具体例に示すように、時間ＣＮＴ＿ＰＯＷＥＲが第三所定時間以上になる直前にパワーオフカウントリセット要因情報でない出力情報が取得されても、時間ＣＮＴ＿ＤＥＬＡＹ＿ＰＯＷＥＲが第四所定時間以上になるまでは、読取装置２がパワーオフ状態に設定されない（Ｓ２６：ＮＯ）。このため、読取装置２のＣＰＵ２１は、第四所定時間の間に、出力情報に対応する処理を行うことができる。第七具体例では、ステータス情報リクエストが取得されているので、第四所定時間の間にステータス情報をＰＣ１９に送信することができる。よって、出力情報に対応する処理の途中で読取装置２がパワーオフ状態に設定されることを防止できる。
【００８３】
以上のように、本実施形態のメイン処理が実行される。本実施形態において、読取装置２は本発明の「入力装置」の一例である。スリープ状態は本発明の「第一低電力状態」の一例である。パワーオフ状態は本発明の「第二低電力状態」の一例である。時間ＣＮＴ＿ＳＬＥＥＰは本発明の「第一時間」の一例である。時間ＣＮＴ＿ＤＥＬＡＹ＿ＳＬＥＥＰは本発明の「第二時間」の一例である。時間ＣＮＴ＿ＰＯＷＥＲは本発明の「第三時間」の一例である。時間ＣＮＴ＿ＤＥＬＡＹ＿ＰＯＷＥＲは本発明の「第四時間」の一例である。時間ＣＮＴ＿ＢＡＴＴＥＲＹは本発明の「第五時間」の一例である。左読取装置２Ｌ及び右読取装置２Ｒは本発明の「載置部」の一例である。電子ペン３は本発明の「筆記手段」の一例である。センサ基板７Ｌ，７Ｒ及びＡＳＩＣ２８Ａ，２９Ａは本発明の「検出部」の一例である。ＰＣ１９は本発明の「外部機器」の一例である。無線通信部２４は本発明の「通信部」の一例である。ＡＳＩＣ２８Ａ，２９Ａから出力されるペンダウン信号は本発明の「第一情報」の一例である。無線通信部２４から出力されるステータスリクエスト、ファイル一覧リクエスト、本体情報リクエスト、及びデータ受信リクエストは本発明の「要求情報」及び「第二情報」の一例である。
【００８４】
Ｓ１６及びＳ３４の処理を行うＣＰＵ２１は本発明の「出力情報取得手段」の一例である。Ｓ１９の処理を行うＣＰＵ２１は本発明の「第一計測手段」の一例である。Ｓ３１の処理を行うＣＰＵ２１は本発明の「第一状態設定手段」の一例である。スリープカウントリセット要因情報情報は本発明の「第一リセット要因情報」の一例である。パワーオフカウントリセット要因情報は本発明の「第二リセット要因情報」の一例である。フラッシュＲＯＭ２３は本発明の「第一記憶手段」及び「第二記憶手段」の一例である。Ｓ５１の処理を行うＣＰＵ２１は本発明の「第一リセット判断手段」の一例である。Ｓ５２の処理において時間ＣＮＴ＿ＳＬＥＥＰを「０」にリセットする処理を行うＣＰＵ２１は本発明の「第一リセット手段」の一例である。
【００８５】
Ｓ１８の処理を行うＣＰＵ２１は本発明の「第二計測手段」の一例である。Ｓ２２及びＳ３６の処理を行うＣＰＵ２１は本発明の「第三計測手段」の一例である。Ｓ２７の処理を行うＣＰＵ２１は本発明の「第二状態設定手段」の一例である。Ｓ５５の処理を行うＣＰＵ２１は本発明の「第二リセット判断手段」の一例である。Ｓ５６の処理において時間ＣＮＴ＿ＰＯＷＥＲを「０」にリセットする処理を行うＣＰＵ２１は本発明の「第二リセット手段」の一例である。Ｓ４２の処理を行うＣＰＵ２１は本発明の「第三状態設定手段」の一例である。Ｓ２１の処理を行うＣＰＵ２１は本発明の「第四計測手段」の一例である。Ｓ３５の処理を行うＣＰＵ２１は本発明の「第五計測手段」の一例である。Ｓ３８の処理を行うＣＰＵ２１は本発明の「電池残量検出手段」の一例である。Ｓ４０の処理を行うＣＰＵ２１は本発明の「出力手段」の一例である。
【００８６】
なお、本発明は上記の実施形態に限定されるものではなく、種々の変更が可能である。例えば、本発明の第一低電力状態は、動作状態よりも消費電力が小さく、少なくとも、センサ基板７Ｌ，７Ｒ、ＡＳＩＣ２８Ａ，２９Ａ、及び無線通信部２４が動作可能な状態であればよく、本実施形態のようなスリープ状態でなくてもよい。また、例えば、第一低電力状態ではＬＥＤ５が点灯されていなくてもよい。
【００８７】
また、本発明の第二低電力状態は、第一低電力状態よりも消費電力が小さく、少なくとも、センサ基板７Ｌ，７Ｒ、ＡＳＩＣ２８Ａ，２９Ａ、及び無線通信部２４が動作不能な状態であればよく、本実施形態のようなパワーオフ状態でなくてもよい。
【００８８】
また、出力情報は、出力情報テーブル９５（図４参照）に示した出力情報に限定されない。例えば、電池２７を読取装置２に差し込んだ時に電源回路２６から出力される差し込み信号が、出力情報であってもよい。
【００８９】
また、ＡＳＩＣ２８Ａ，２９Ａが出力する出力情報は、ペンダウン信号及びペンアップ信号であったが、これに限定されない。例えば、ストロークデータ、又はストロークデータを構成する座標データが、出力情報であってもよい。
【００９０】
また、無線通信部２４が出力する出力情報は、ステータスリクエストなど、外部機器であるＰＣ１９が要求する情報であったが、これに限定されない。例えば、ＰＣ１９が要求する情報を無線通信部２４が受信した場合に、無線通信部２４がＨｉｇｈ信号を出力した後、ＰＣ１９が要求する情報を出力するように構成した場合、出力情報がＨｉｇｈ信号であってもよい。そして、ＣＰＵ２１は、この場合、出力情報テーブル９５において、Ｈｉｇｈ信号を、スリープカウントリセット要因情報ではなく、パワーオフカウントリセット要因情報ではなく、復帰要因情報であると設定してもよい。
【００９１】
また、電池２７の電力残量は、発光するＬＥＤ５の数を変更することで出力されているが（Ｓ４０）、例えば、ＬＥＤ５の色が変更されてもよい。また、例えば、読取装置２にディスプレイを設け、ディスプレイに電池２７の電力残量を表示してもよい。また、スリープ状態において時間ＣＮＴ＿ＢＡＴＴＥＲＹを計測し（Ｓ３６）、時間ＣＮＴ＿ＢＡＴＴＥＲＹが第五所定時間以上になった場合に（Ｓ３３：ＹＥＳ）、電池２７の電力残量が検出され（Ｓ３８）、出力されていたが（Ｓ４０）、スリープ状態で電池２７の電力残量は検出されなくてもよい。
【００９２】
また、時間ＣＮＴ＿ＳＬＥＥＰが第一所定時間以上になる直前にスリープカウントリセット要因情報でない出力情報が取得されても、時間ＣＮＴ＿ＤＥＬＡＹ＿ＳＬＥＥＰが第二所定時間以上になるまでは、読取装置２がスリープ状態に設定されない（Ｓ１５：ＮＯ）。しかし、時間ＣＮＴ＿ＳＬＥＥＰが第一所定時間以上になる直前にスリープカウントリセット要因情報でない出力情報が取得された場合に、時間ＣＮＴ＿ＤＥＬＡＹ＿ＳＬＥＥＰが計測されることなく、スリープ状態に設定されてもよい。
【００９３】
また、時間ＣＮＴ＿ＰＯＷＥＲが第三所定時間以上になる直前にパワーオフカウントリセット要因情報でない出力情報が取得されても、時間ＣＮＴ＿ＤＥＬＡＹ＿ＰＯＷＥＲが第四所定時間以上になるまでは、読取装置２がパワーオフ状態に設定されない（Ｓ２６：ＮＯ）。しかし、時間ＣＮＴ＿ＰＯＷＥＲが第三所定時間以上になる直前にパワーオフカウントリセット要因情報でない出力情報が取得された場合に、時間ＣＮＴ＿ＤＥＬＡＹ＿ＰＯＷＥＲが計測されることなく、パワーオフ状態に設定されてもよい。また、時間ＣＮＴ＿ＰＯＷＥＲが第三所定時間以上となる場合に（Ｓ２３：ＹＥＳ、又はＳ３７：ＹＥＳ）、パワーオフ状態に設定されているが（Ｓ２７）、例えば、パワーオフ状態に設定されなくてもよい。
【符号の説明】
【００９４】
１    手書入力システム
２    読取装置
２Ｌ    左読取装置
２Ｒ    右読取装置
３    電子ペン
７Ｌ，７Ｒ    センサ基板
２１    ＣＰＵ
２４，４４    無線通信部
２７    電池
２８Ａ，２９Ｂ    ＡＳＩＣ
９５    出力情報テーブル
１１１    用紙
２３    フラッシュＲＯＭ
【図１】
2015064691.tif 000003
【図２】
2015064691.tif 000004
【図３】
2015064691.tif 000005
【図４】
2015064691.tif 000006
【図５】
2015064691.tif 000007
【図６】
2015064691.tif 000008
【図７】
2015064691.tif 000009